(57)【特許請求の範囲】
【請求項１】
遊技盤の前面に沿って装飾基板を備えた装置本体には、その装飾基板の前面に開口部を有する開閉入賞口が形成され、その開閉入賞口には、開閉玉受部材が開閉軸を中心としかつ電動アクチュエータを駆動源として起倒回動可能に組み付けられ、前記開閉玉受部材が前記開閉軸を中心として起立された閉じ位置に配置されることで、前記開閉入賞口が閉鎖され、前記開閉玉受部材が前記開閉軸を中心として前側に倒された開放位置に配置されることで、前記開閉玉受部材の玉受板によってパチンコ玉を受け止めてそのパチンコ玉を開閉入賞口に案内するパチンコ機の電動式入賞装置であって、
前記開閉入賞口の開口部の下部両側には、中央部に塞ぎ片を残して左右の両切欠部が形成される一方、
前記開閉玉受部材の玉受板には、前記塞ぎ片に対応する部分が取り除かれて除去部が形成されると共に、その除去部の左右両側部には支持片がそれぞれ延出され、これら左右の両支持片は、前記両切欠部に対し出没可能でかつ前記開閉軸を介して前記両切欠部の下部に回動可能に組み付けられることで、前記開閉玉受部材の玉受板の上下方向の寸法が前記除去部に対応する分だけ小さく設定され、
前記開閉玉受部材が開放位置に配置されたときには、その玉受板の玉受面の奥側縁と開閉入賞口の底部玉受板の前側縁との間にパチンコ玉が留められることがないように、前記玉受板は、その先端側に板厚が薄く、基端側に向けてしだいに板厚が厚く形成されることで、前記玉受板の玉受面の奥側縁が前記開閉入賞口の底部玉受板の前側縁に接近していることを特徴とするパチンコ機の電動式入賞装置。
【発明の詳細な説明】
【０００１】
【発明の属する技術分野】
この発明は、パチンコ機の電動式入賞装置に関し、開閉玉受部材が開閉軸を中心として起倒回動可能に組み付けられ、特定の設定条件に基づいて作動する電動アクチュエータによって、前記開閉玉受部材が起立状態の閉じ位置と、前側に倒された開き位置とに配置切り換えされるように構成されたパチンコ機の電動式入賞装置の改良に関する。
【０００２】
【従来の技術】
この種のパチンコ機の電動式入賞装置には、例えば、特公平５−７１２７６号公報に開示されている。
また、このような形式のパチンコ機の電動式入賞装置において、図５〜図７に示すように、遊技盤１０１の前面に沿って装飾基板１１２を備えた装置本体１１１に対し、その装飾基板１１２の前面の略中央部に横長の開口部を有する開閉入賞口１１３が形成されている。
前記開閉入賞口１１３の開口部付近には、その開閉入賞口１１３の底面をなす底部玉受板１１７の上方に位置する開閉軸１３６を中心として開閉玉受部材１３０が起倒回動可能に組み付けられている。
【０００３】
前記開閉玉受部材１３０は、連動部材１４０を介して電動アクチュエータとしての電磁ソレノイド１４３に連繋されている。
そして、特定の設定条件に基づいて電磁ソレノイド１４３が作動することで、前記開閉玉受部材１３０が前記開閉軸１３６を中心として起倒回動される。
すなわち、図６に示すように、開閉玉受部材１３０が起立状態をなす閉じ位置に配置されたときには、その開閉玉受部材１３０によって開閉入賞口１１３が閉鎖される。また、図７に示すように、開閉玉受部材１３０が開閉軸１３６を中心として前側に倒された開放位置に配置されたときには、開閉玉受部材１３０の玉受板１３１によってパチンコ玉５０を受け止め、そのパチンコ玉５０を開閉入賞口１１３に案内するようになっている。
【０００４】
また、開閉入賞口１１３の底面をなす底部玉受板１１７の奥側には、その底部玉受板１１７上を転動したパチンコ玉５０に対する玉通過孔１１８が設けられている。底部玉受板１１７の下部には、玉通過孔１１８を通過するパチンコ玉５０を検出するための玉検出センサ１２０が組み込まれるセンサ組込室１１９が形成されている。
また、図５に示すように、装置本体１１１の装飾基板１１２には、センサ組込室１１９の下方に位置して開口窓１２３が形成され、その開口窓１２３には、特定の設定条件に基づいて点灯するランプ（図示しない）の光が出射されるレンズ１２４が設けられている。
【０００５】
【発明が解決しようとする課題】
ところで、前記従来の電動式入賞装置において、図７に示すように、開閉玉受部材１３０が開閉軸１３６を中心として前側に倒された開放位置に配置されたときに、その開閉玉受部材１３０の玉受板１３１の先端縁とガラス扉枠のガラス板１０３との間にパチンコ玉５０が不測に留められることを防止する必要性がある。
このため、開閉玉受部材１３０が開放位置に配置されたときには、その玉受板１３１の先端縁はガラス板１０３に近接する位置に設定される。
【０００６】
また、開閉玉受部材１３０は、開閉入賞口１１３の底面をなす底部玉受板１１７の上方に位置する開閉軸１３６を中心として起倒回動可能に組み付けられる。したがって、開閉入賞口１１３の開口部の上下方向の高さ寸法ｈは、開閉軸１３６から玉受板１３１の先端までの距離寸法Ｌよりも適宜に大きく設定する必要性がある。
一方、開閉入賞口１１３の下方にはセンサ組込室１１９が設けられ、装飾基板１１２には、センサ組込室１１９の下方に位置してレンズ１２４が設けられる。
このようなことから、前記従来の電動式入賞装置においては、その装飾基板１１２の中央部の上下方向の高さ寸法Ｈを小さくして、装置の小型化を図ることが困難であった。
【０００７】
この発明の目的は、前記問題点に鑑み、電動式入賞装置としての機能を低下させることなく、装置本体の装飾基板の中央部の上下方向の高さ寸法を小さくして装置の小型化を図ることができるパチンコ機の電動式入賞装置を提供することである。
【０００８】
【課題を解決するための手段】
前記目的を達成するために、請求項１の発明に係るパチンコ機の電動式入賞装置は、遊技盤の前面に沿って装飾基板を備えた装置本体には、その装飾基板の前面に開口部を有する開閉入賞口が形成され、その開閉入賞口には、開閉玉受部材が開閉軸を中心としかつ電動アクチュエータを駆動源として起倒回動可能に組み付けられ、前記開閉玉受部材が前記開閉軸を中心として起立された閉じ位置に配置されることで、前記開閉入賞口が閉鎖され、前記開閉玉受部材が前記開閉軸を中心として前側に倒された開放位置に配置されることで、前記開閉玉受部材の玉受板によってパチンコ玉を受け止めてそのパチンコ玉を開閉入賞口に案内するパチンコ機の電動式入賞装置であって、
前記開閉入賞口の開口部の下部両側には、中央部に塞ぎ片を残して左右の両切欠部が形成される一方、
前記開閉玉受部材の玉受板には、前記塞ぎ片に対応する部分が取り除かれて除去部が形成されると共に、その除去部の左右両側部には支持片がそれぞれ延出され、これら左右の両支持片は、前記両切欠部に対し出没可能でかつ前記開閉軸を介して前記両切欠部の下部に回動可能に組み付けられることで、前記開閉玉受部材の玉受板の上下方向の寸法が前記除去部に対応する分だけ小さく設定され、
前記開閉玉受部材が開放位置に配置されたときには、その玉受板の玉受面の奥側縁と開閉入賞口の底部玉受板の前側縁との間にパチンコ玉が留められることがないように、前記玉受板は、その先端側に板厚が薄く、基端側に向けてしだいに板厚が厚く形成されることで、前記玉受板の玉受面の奥側縁が前記開閉入賞口の底部玉受板の前側縁に接近していることを特徴とする。
【０００９】
したがって、開閉玉受部材が開閉軸を中心として前側に倒された開放位置に配置された状態にあるときに、その玉受板の先端縁が、ガラス扉枠のガラス板に接近する位置において、開閉軸から玉受板の先端までの距離寸法が設定されているにも係わらず、開閉玉受部材の玉受板の上下方向の寸法を、玉受板の除去部に対応する分だけ小さく設定することができる。
このため、開閉入賞口の開口部の上下方向の寸法を小さくしかつそれに基づいて装飾基板の中央部の上下方向の高さ寸法を小さくすることができるため、電動式入賞装置の小型化を図ることができる。
しかも、開閉玉受部材が開放位置に配置されたときには、その玉受板の玉受面の奥側縁と開閉入賞口の底部玉受板の前側縁との間に段差部が生じることがないため、その玉受板の玉受面の奥側縁と開閉入賞口の底部玉受板の前側縁との間に対し、パチンコ玉が不測に留められる不具合が防止される。
【００１０】
【発明の実施の形態】
この発明の実施の形態を図１〜図３にしたがって説明する。
電動式入賞装置を正面から表した図１及び電動式入賞装置が遊技盤１に組み付けられた状態を縦断面で表した図２において、装置本体１１の前側に設けられた装飾基板１２は、遊技盤１の前面に接してビス等によって取り付けられている。
装置本体１１の中央部には、その装飾基板１２の前面に開口部を有する横長の開閉入賞口１３が形成されている。この開閉入賞口１３の底面をなす底部玉受板１７の奥側には、その底部玉受板１７上を転動したパチンコ玉５０に対する玉通過孔１８がカバー体２１に覆われて設けられている。
なお、カバー体２１は装置本体１１の裏面側に組み付けられ、そのカバー体２１の下部には、玉通過孔１８を通過したパチンコ玉５０を所定位置まで案内する玉案内樋２２が設けられている。
【００１１】
前記底部玉受板１７の下部には、玉通過孔１８を通過するパチンコ玉５０を検出するための玉検出センサ２０が組み込まれるセンサ組込室１９が形成されている。
また、装置本体１１の装飾基板１２には、センサ組込室１９の下方に位置して開口窓２３が形成され、その開口窓２３には、特定の設定条件に基づいて点灯するランプ（図示しない）の光が出射されるレンズ２４が設けられている。
図１に示すように、前記開閉入賞口１３の開口部の下部両側には、中央部に塞ぎ片１５を残して左右の両切欠部１４が形成されると共に、開閉入賞口１３の底部玉受板１７は、塞ぎ片１５の上端面に連続して形成されている。
【００１２】
前記開閉入賞口１３の開口部付近には開閉軸３６を中心として開閉玉受部材３０が起倒回動可能に組み付けられている。
前記開閉玉受部材３０は、パチンコ玉５０を受け止めてそのパチンコ玉５０を開閉入賞口１３に案内する玉受板３１と、その玉受板３１の両側部に設けられた側壁部３４とを主体として形成されている。
前記開閉玉受部材３０の玉受板３１には、前記装飾基板１２の塞ぎ片１５に対応する部分が取り除かれて除去部３３が形成され、玉受板３１の上下方向の寸法は、前記除去部３３に対応する分だけ小さく設定されている。
【００１３】
さらに、前記除去部３３の左右両側部に位置する開閉玉受部材３０の両側壁部３４の下部には、支持片３５がそれぞれ延出され、これら支持片３５の外側面には開閉軸３６が水平方向に突出されている。
そして、開閉玉受部材３０は、その左右の両支持片３５が、装飾基板１２の両切欠部１４に対し出没可能でかつ開閉軸３６を介して装飾基板１２の両切欠部１４の下部寄りの側部に形成された軸受け部に回動可能に組み付けられている。
なお、開閉軸３６は、支持片３５と一体成形されてもよく、別体に形成された開閉軸を支持片３５に組み付けてもよい。
【００１４】
また、前記開閉玉受部材３０の両支持片３５のうち、少なくとも一方の支持片３５には、係合片３７が形成されている。そして、前記開閉玉受部材３０は、前記係合片３７が連動部材４０の連動片４１に係合した状態において、電動アクチュエータとしての電磁ソレノイド４３に連繋されている。前記連動部材４０は、電磁ソレノイド４３のプランジャ４４に結合されている。
【００１５】
前記したように構成されたこの実施の形態のパチンコ機の電動式入賞装置において、特定の設定条件に基づいて電磁ソレノイド４３が作動することで、開閉玉受部材３０が開閉軸３６を中心として起倒回動される。
図２に示すように、開閉玉受部材３０が起立状態をなす閉じ位置に配置されたときには、その開閉玉受部材３０によって開閉入賞口１３が閉鎖される。
また、図３に示すように、開閉玉受部材３０が開閉軸３６を中心として前側に倒された開放位置に配置されたときには、開閉玉受部材３０の玉受板３１に受け止められたパチンコ玉５０は、その玉受板３１の玉受面３２を介して開閉入賞口１３に案内される。
【００１６】
さらに、開閉玉受部材３０が前記開放位置に配置されたときには、その玉受板３１の玉受面３２の奥側縁と開閉入賞口１３の底部玉受板１７の前側の塞ぎ片１５の上端との間に対し、パチンコ玉５０が不測に留められることがないように、前記玉受板３１は、その先端側に板厚が薄く、基端側に向けてしだいに板厚が厚く形成されている。
これによって、玉受板３１の玉受面３２の奥側縁（基端縁）が前記開閉入賞口１３の底部玉受板１７の前側の塞ぎ片１５の上端に接近している。
【００１７】
すなわち、図４の参考図に示すように、玉受板３１がその先端から基端にわたって略均一の板厚に形成された場合には、開閉玉受部材３０が前記開放位置に配置されたときには、その玉受板３１の玉受面３２の奥側縁と開閉入賞口１３の底部玉受板１７の前側の塞ぎ片１５の上端との間に段差部が生じ、その段差部にパチンコ玉５０が留められる不具合が生じ易いが、この実施の形態においては、前記不具合が生じない。
【００１８】
前記開閉玉受部材３０において、その玉受板３１は、装飾基板１２の塞ぎ片１５に対応する部分が取り除かれて除去部３３が形成され、除去部３３の下部に延出された左右の両支持片３５が、装飾基板１２の塞ぎ片１５の左右両側の切欠部１４に対し出没可能でかつ開閉軸３６を介して両切欠部１４の下部の軸受け部に回動可能に組み付けられている。
このため、図１と図３に示すように、開閉玉受部材３０が開閉軸３６を中心として前側に倒された開放位置に配置された状態にあるときに、その玉受板３１の先端縁が、ガラス扉枠２のガラス板３に接近する位置において、開閉軸３６から玉受板３１の先端までの距離寸法Ｌが設定されているにも係わらず、開閉玉受部材３０の玉受板３１の上下方向の寸法を除去部３３に対応する分だけ小さく設定することができる。
【００１９】
したがって、図１と図３に示すように、開放位置に配置された開閉玉受部材３０の玉受板３１の先端縁が、ガラス扉枠２のガラス板３に接近することで、玉受板３１の先端縁とガラス扉枠のガラス板３との間にパチンコ玉５０が不測に留められることを防止することができ、玉受板３１に受け止められたパチンコ玉５０は、その玉受板３１の玉受面３２を介して開閉入賞口１３に確実に案内される。
特に、開閉玉受部材３０の玉受板３１の上下方向の寸法を小さくすることで、開閉入賞口１３の開口部の上下方向の寸法ｈを小さくしかつそれに基づいて装飾基板１２の中央部の上下方向の高さ寸法Ｈを小さくすることができるため、電動式入賞装置１０の小型化を図ることができる。
前記したように電動式入賞装置１０の小型化を図ることで、遊技盤１の限られた遊技面に対し、電動式入賞装置１０の配設スペースの確保が容易となる。さらに、前記遊技面に対し、電動式入賞装置１０とは別の入賞器や表示装置等を配設することも容易となる。
【００２０】
【発明の効果】
以上述べたように、この発明によれば、電動式入賞装置としての機能を低下させることなく、開閉玉受部材の玉受板の中央部の上下方向の寸法を小さくすることができ、これに基づいて装飾基板の上下方向の高さ寸法Ｈを小さくして、電動式入賞装置の小型化を図ることができる。このように、電動式入賞装置の小型化を図ることで、遊技盤の限られた遊技面に対する電動式入賞装置の配設スペースの確保が容易となるばかりでなく、前記遊技面に対する他の入賞器や表示装置等の配設も容易となる。
【図面の簡単な説明】
【図１】この発明の実施の形態のパチンコ機の電動式入賞装置を示す正面図である。
【図２】同じく開閉入賞口に対し開閉玉受部材が閉じ位置に配置された状態を示す断面図である。
【図３】同じく開閉入賞口に対し開閉玉受部材が開放位置に配置された状態を示す断面図である。
【図４】開閉玉受部材の玉受板の奥側縁と開閉入賞口の底部玉受板の前側縁との間に生じた段差部にパチンコ玉が留められた状態を示す参考図である。
【図５】従来のパチンコ機の電動式入賞装置を示す正面図である。
【図６】同じく開閉入賞口に対し開閉玉受部材が閉じ位置に配置された状態を示す断面図である。
【図７】同じく開閉入賞口に対し開閉玉受部材が開放位置に配置された状態を示す断面図である。
【符号の説明】
１  遊技盤
３  ガラス板
１０  電動式入賞装置
１１  装置本体
１２  装飾基板
１３  開閉入賞口
１４  切欠部
１５  塞ぎ片
１７  底部玉受板
２０  玉検出センサ
３０  開閉玉受部材
３１  玉受板
３２  玉受面
３３  除去部
３５  支持片
３６  開閉軸
４３  電磁ソレノイド（電動アクチュエータ）
５０  パチンコ玉
【図１】
0003611947.tif 000002
【図２】
0003611947.tif 000003
【図３】
0003611947.tif 000004
【図４】
0003611947.tif 000005
【図５】
0003611947.tif 000006
【図６】
0003611947.tif 000007
【図７】
0003611947.tif 000008